(57)【要約】【課題】  従来は、伝送路の距離に応じて光増幅器の利得を制御することが難しかった。【解決手段】  本発明では、光信号を増幅する光増幅器と、光増幅器が光伝送路に出力する送信光と、前記送信光に基づいて光伝送路から戻ってくる戻り光とを分離するスプリッタと、スプリッタが分離した戻り光の信号レベルをモニタし、信号レベルから推定した伝送路の距離に応じて光増幅器の利得を制御する制御回路とを備えることを特徴とする。【選択図】図２
2014116882.tif 000002
【特許請求の範囲】
【請求項１】
光信号を増幅する光増幅器と、
前記光増幅器が光伝送路に出力する送信光と、前記送信光に基づいて前記光伝送路から戻ってくる戻り光とを分離するスプリッタと、
前記スプリッタが分離した前記戻り光の信号レベルをモニタし、前記信号レベルから推定した伝送路の距離に応じて前記光増幅器の利得を制御する制御回路と
を備えることを特徴とする光伝送装置。
【請求項２】
請求項１に記載の光伝送装置において、
前記光伝送路に設けられる一芯の光ファイバにより通信先の伝送装置との間で光信号を送受信する場合に、
前記スプリッタは、前記光増幅器が前記光伝送路に出力する送信光と、前記光伝送路から受信する通信先の伝送装置の受信光および前記戻り光と、に分離し、
前記スプリッタが分離した前記受信光および前記戻り光から前記戻り光を抽出するフィルタを更に設け、
前記制御回路は、前記フィルタが抽出した前記戻り光の信号レベルをモニタし、前記信号レベルから推定した伝送路の距離に応じて前記光増幅器の利得を制御する
ことを特徴とする光伝送装置。
【請求項３】
請求項１または２に記載の光伝送装置において、
前記制御回路は、前記戻り光の信号レベルが大きい場合に伝送路の距離が長いと推定し、前記戻り光の信号レベルが小さい場合に伝送路の距離が短いと推定する
ことを特徴とする光伝送装置。
【請求項４】
請求項１から３のいずれか一項に記載の光伝送装置において、
前記光増幅器は、励起用レーザーの注入により前記送信光を増幅する光ファイバ増幅器であり、
前記制御回路は、前記戻り光の信号レベルから推定した伝送路の距離に応じて前記励起用レーザーの出力レベルを制御する
ことを特徴とする光伝送装置。
【請求項５】
光信号を光増幅器により増幅して光伝送路に出力する送信光と、前記送信光に基づいて前記光伝送路から戻ってくる戻り光とをスプリッタにより分離し、前記スプリッタが分離した前記戻り光の信号レベルをモニタして、当該信号レベルから推定した伝送路の距離に応じて前記光増幅器の利得を制御する
ことを特徴とする利得制御方法。
【請求項６】
請求項５に記載の利得制御方法において、
前記光伝送路に設けられる一芯の光ファイバにより通信先の伝送装置との間で光信号を送受信する場合に、
前記スプリッタは、前記光増幅器が前記光伝送路に出力する送信光と、前記光伝送路から受信する通信先の伝送装置の受信光および前記戻り光と、に分離し、
前記スプリッタが分離した前記受信光および前記戻り光から前記戻り光をフィルタによって抽出し、前記フィルタが抽出した前記戻り光の信号レベルをモニタして、当該信号レベルから推定した伝送路の距離に応じて前記光増幅器の利得を制御する
ことを特徴とする利得制御方法。
【請求項７】
請求項５または６に記載の利得制御方法において、
前記制御回路は、前記戻り光の信号レベルが大きい場合に伝送路の距離が長いと推定し、前記戻り光の信号レベルが小さい場合に伝送路の距離が短いと推定する
ことを特徴とする利得制御方法。
【請求項８】
請求項５から７のいずれか一項に記載の利得制御方法において、
前記光増幅器は、励起用レーザーの注入により前記送信光を増幅する光ファイバ増幅器であり、
前記制御回路は、前記戻り光の信号レベルから推定した伝送路の距離に応じて前記励起用レーザーの出力レベルを制御する
ことを特徴とする利得制御方法。
【発明の詳細な説明】
【技術分野】
【０００１】
本発明は、光伝送装置および利得制御方法に関する。
【背景技術】
【０００２】
近年、高速通信が可能な光ファイバが広く利用されている。光ファイバは、伝送路の距離に応じて特性が異なるため、伝送距離に適するように光信号の送信回路を調整している。例えば、送信側の光伝送装置から伝送距離を測定するための計測用の光信号を送信し、伝送路内で反射して戻ってくる光信号（以降、戻り光と称す）から伝送距離を求め、電気信号を光信号に変換する際の駆動条件を制御する方法が検討されている（例えば、特許文献１参照)。
【先行技術文献】
【特許文献】
【０００３】
【特許文献１】特開２０１１−２１１６５２号公報
【発明の概要】
【発明が解決しようとする課題】
【０００４】
ところが、例えば１００ｋｍ程度の長距離の伝送路の場合、光信号の減衰が大きくなるため、送信側の光伝送装置では、電気信号を光信号に変換する回路の後に、さらに高出力の光増幅器が配置されている。このような光増幅器の利得は、複数の伝送路のうち最長区間の伝送路に合わせて設定されるため、短い区間の伝送路に設置される光伝送装置では光増幅器の利得が過剰になってしまう（以降、過剰利得と称す）。このため、過剰利得となる短い区間の場合、送信側の光伝送装置では、出力側に光減衰器を設置して、光増幅器で増幅した光を再び減衰させることが行われている。この場合、光増幅器の電力消費量が大きくなるだけでなく、光減衰器を設置する費用が掛かるなど、様々な無駄があった。
【０００５】
本発明の目的は、伝送路の距離に応じて光増幅器の利得を制御できる光伝送装置および利得制御方法を提供することである。
【課題を解決するための手段】
【０００６】
一つの観点による光伝送装置は、光信号を増幅する光増幅器と、光増幅器が光伝送路に出力する送信光と、送信光に基づいて光伝送路から戻ってくる戻り光とを分離するスプリッタと、スプリッタが分離した戻り光の信号レベルをモニタし、信号レベルから推定した伝送路の距離に応じて光増幅器の利得を制御する制御回路とを備えることを特徴とする。
【０００７】
一つの観点による利得制御方法は、光信号を光増幅器により増幅して光伝送路に出力する送信光と、前記送信光に基づいて前記光伝送路から戻ってくる戻り光とをスプリッタにより分離し、前記スプリッタが分離した前記戻り光の信号レベルをモニタして、当該信号レベルから推定した伝送路の距離に応じて前記光増幅器の利得を制御することを特徴とする。
【発明の効果】
【０００８】
本件開示の光伝送装置および利得制御方法は、伝送路の距離に応じて光増幅器の利得を制御できる。
【図面の簡単な説明】
【０００９】
【図１】本実施形態に係る光伝送装置１０１の接続例を示す図である。
【図２】一芯の光伝送路に対応する光伝送装置１０１の一例を示す図である。
【図３】波長フィルタ２０１の特性を示す図である。
【図４】戻り光による利得制御を行わない場合の一例を示す図である。
【図５】光伝送路の距離が違う場合の一例を示す図である。
【図６】利得調整処理の流れを示すフローチャートである。
【図７】二芯の光伝送路に対応する光伝送装置１０１の一例を示す図である。
【発明を実施するための形態】
【００１０】
以下、本件開示の光伝送装置および利得制御方法の実施形態について詳しく説明する。
（第１の実施形態）
図１は、第１の実施形態に係る光伝送装置１０１の接続例を示す図である。図１において、光伝送装置１０１は、電気的に接続される伝送装置１１０から入力する電気信号を光信号に変換し、変換した光信号を光伝送路１０３を介して対向する光伝送装置１０２に送信する。光伝送装置１０２は、光伝送路１０３を介して受信する光信号を電気信号に変換して、電気的に接続される伝送装置１１１に出力する。逆に、伝送装置１１１から入力する電気信号は、光伝送装置１０２で光信号に変換されて光伝送装置１０１に送信され、光伝送装置１０１は、受信する光信号を電気信号に変換して伝送装置１１０に出力する。尚、本実施形態に係る光伝送装置１０１および光伝送装置１０２は、例えば１００ｋｍ程度の長距離伝送を行うことができるように光信号を増幅して光伝送路１０３に出力する。
【００１１】
図２は、光伝送装置１０１の一例を示す図である。尚、光伝送装置１０２も光伝送装置１０１と同様である。図２において、光伝送装置１０１は、電気回路ＩＦ（ＩｎｔｅｒＦａｃｅ）１５１と、光電気変換モジュール１５２と、光増幅器１５３と、スプリッタ１５４と、受信部１５５と、電気回路ＩＦ（ＩｎｔｅｒＦａｃｅ）１５６と、波長フィルタ２０１と、光レベルモニタ制御回路２０２と、を有する。ここで、図２の光伝送装置１０１は一芯の光伝送路に対応する伝送装置で、光伝送路１０３は一芯の光ファイバが用いられ、送信用の光信号と受信用の光信号とが波長多重により伝送される。
【００１２】
電気回路ＩＦ１５１は、ユーザのネットワーク機器を電気的に接続するためのインターフェースで、ユーザのネットワーク機器の送信データを入力する。電気回路ＩＦ１５１は、例えばＬＡＮ（Ｌｏｃａｌ  Ａｒｅａ  Ｎｅｔｗｏｒｋ）回路などを備える。尚、電気回路ＩＦ１５１および電気回路ＩＦ１５６は、図１の伝送装置１１０に接続される。
【００１３】
光電気変換モジュール１５２は、電気回路ＩＦ１５１から入力する電気信号を光信号に変換する。例えば、光電気変換モジュール１５２は、デジタルデータが”１”の場合に予め決められた波長の光信号を出力（ＯＮ）し、デジタルデータが”０”の場合に当該光信号を停止（ＯＦＦ）することにより、デジタルデータを光信号に変換する。
【００１４】
ここで、光電気変換モジュール１５２で出力できる光信号のレベルは、例えば最も高出力なデバイスでも＋２ｄＢｍ程度であり、数１０ｋｍ程度の短い光伝送路による光伝送では十分なゲインを得られるが、１００ｋｍ程度の光伝送路による光伝送では、十分なゲインを得られない。このため、光伝送路の長短に依らず適正なゲインを得るために光信号を増幅する光増幅器１５３が光伝送装置１０１に搭載される。
【００１５】
光増幅器１５３は、励起用ＬＤ（Ｌａｚｅｒ  Ｄｉｏｄｅ）１５７の出力光を、光電気変換モジュール１５２が出力する光信号を伝達する光ファイバ１５８に注入することによって、光信号を増幅する光ファイバ増幅器である。例えば、エルビウムイオンをドープした光ファイバ（ＥＤＦ：Ｅｒｂｉｕｍ  Ｄｏｐｅｄ  Ｆｉｂｅｒ）１５８に励起用のレーザ光を励起用ＬＤ１５７から注入する光ファイバアンプが光増幅器１５３として用いられる。このような光ファイバアンプは、励起用のレーザ光の出力レベルに応じて光増幅器１５３の利得を設定することができる。
【００１６】
スプリッタ１５４は、例えば光学部品を含み、光増幅器１５３から受ける送信光を光伝送路１０３に出力し、光伝送路１０３から受ける光を波長フィルタ２０１に出力する。ここで、光伝送路１０３に一芯の光ファイバを用いるので、光伝送路１０３から受ける光は、図１で説明した通信先の光伝送装置１０２から送信される光信号の受信光と、スプリッタ１５４から光伝送路１０３に出力された送信光の戻り光とを含んでいる。
【００１７】
ここで、戻り光について説明する。戻り光は、光伝送装置１０１から送信される光信号が光伝送路１０３の後方散乱光として光伝送装置１０１側に戻ってくる光信号である。一方、光伝送技術では、長距離伝送を行うためには、短距離伝送を行う時の光増幅器に比べて高出力の光増幅器が用いられる。例えば、１００ｋｍ程度の長距離伝送では、送信光を＋１０ｄＢｍ以上のレベルまで増幅する光増幅器が用いられている。ところが、このような高レベルの光信号を光ファイバに入力すると、光ファイバの中で非線形効果による後方散乱光が生じ、送信光と逆行する方向で自装置側に戻る現象が生じる。本実施形態では、これを戻り光と称している。そして、戻り光は以下のような性質を持っている。
・戻り光のレベルは、光伝送路の距離に比例して大きくなる。
・戻り光の波長は、送信光の波長よりも広帯域に渡って広がる。
【００１８】
このような戻り光の性質を利用することにより、光伝送装置１０１で戻り光のレベルを測定して、光伝送路１０３の距離を推定できる。例えば戻り光のレベルと光伝送路１０３の距離との関係を計算または実測してテーブルとして保持しておき、測定した戻り光のレベルから光伝送路１０３の距離を推定する。ここで、光伝送装置１０１から光伝送路１０３への送信光の出力レベルに応じて戻り光のレベルも変化するので、複数の送信光の出力レベル毎に、戻り光のレベルと光伝送路１０３の距離との関係を計算または実測してテーブルに保持しておいてもよい。そして、戻り光の計測時の送信光の出力レベルに対応する光伝送路１０３の距離を推定する。或いは、予め決められた送信光の基準レベルにおける戻り光のレベルと光伝送路１０３の距離との関係を計算または実測してテーブルに保持しておき、光伝送路１０３の距離を推定する時に基準レベルで送信光を出力するようにしてもよい。
【００１９】
図２において、波長フィルタ２０１は、スプリッタ１５４により分離された通信先の光伝送装置１０２（図１）から送信される光信号の受信光と、スプリッタ１５４から光伝送路１０３に出力された送信光の戻り光とを分離する。ここで、フィルタの特性例について、図３を用いて説明する。図３（ａ）は、横軸に光信号の波長、縦軸に光信号の強度を示すグラフである。図３（ａ）において、通信先の光伝送装置１０２から受信する光信号のスペクトルは、光伝送装置１０２からの送信光の波長（スペクトル４０１）近傍に集中する線スペクトルを示している。一方、戻り光のスペクトル４０２は、散乱によって広い波長帯域に広がっている。図３（ｂ）は、図３（ａ）と同様に、光伝送装置１０２から受信する光信号のスペクトル４０１と、戻り光のスペクトル４０２とを描いた図に、波長フィルタ２０１のフィルタ特性４０３およびフィルタ特性４０４を重ねて描いた図である。フィルタ特性４０３は、光伝送装置１０２から受信する光信号のスペクトル４０１を除去して、戻り光のスペクトル４０２を抽出するノッチフィルタの特性である。一方、フィルタ特性４０４は、戻り光のスペクトル４０２を除去して、光伝送装置１０２から受信する光信号のスペクトル４０１を抽出するバンドパスフィルタの特性である。このようにして、波長フィルタ２０１は、光伝送装置１０２から受信する光信号と、光伝送装置１０１から送信される光信号の戻り光とを分離することができる。尚、波長フィルタ２０１は、フィルタの一例である。
【００２０】
図２に示した光レベルモニタ制御回路２０２は、波長フィルタ２０１で抽出された戻り光のレベルを計測するための受光素子（フォトディテクタなど）を含み、戻り光のレベルから推定した伝送路の距離に応じて励起用ＬＤ１５７の出力を調整するための電気信号に変換する。ここで、戻り光のレベルとは、例えば、広帯域に亘る光信号のスペクトルを積分したエネルギーに相当する。そして、光レベルモニタ制御回路２０２は、戻り光のレベルに応じた電気信号で光増幅器１５３の励起用ＬＤ１５７の出力レベルを制御する。例えば、光レベルモニタ制御回路２０２は、戻り光のレベルから推定した伝送路の距離に応じて励起用ＬＤ１５７を駆動する電流を増減することにより、励起用ＬＤ１５７の出力を調整する。尚、光レベルモニタ制御回路２０２は、制御回路の一例である。
【００２１】
受信部１５５は、波長フィルタ２０１で分離された通信先の光伝送装置１０２から受信する光信号を電気信号に変換して電気回路ＩＦ１５６に出力する。
【００２２】
電気回路ＩＦ１５６は、電気回路ＩＦ１５１と同様に、ユーザのネットワーク機器を電気的に接続するためのインターフェースで、受信データをユーザのネットワーク機器に出力する。
【００２３】
本実施形態に係る光伝送装置１０１は、先に説明したような戻り光の性質を利用して戻り光のレベルから伝送路の距離を概算し、求めた距離に応じて光増幅器１５３の利得を制御する。例えば、波長フィルタ２０１は、光伝送装置１０１に返ってきた戻り光を抽出し、光レベルモニタ制御回路２０２は、戻り光のレベルをモニタする。そして、光レベルモニタ制御回路２０２は、モニタした戻り光のレベルから光伝送路１０３の距離を算出し、距離に応じて光増幅器１５３の利得を制御する。例えば、戻り光のレベルが大きくなるに従って光伝送路１０３の距離が長くなり、逆に戻り光のレベルが小さくなるに従って光伝送路１０３の距離が短くなる。そこで、光レベルモニタ制御回路２０２は、推定した伝送路の距離で最適となる目標の利得値に対して現在の利得値が低い場合、利得が高くなるように励起用ＬＤ１５７の出力を大きくする。逆に、目標の利得値に対して現在の利得値が高い場合、利得が低くなるように励起用ＬＤ１５７の出力を小さくする。尚、光レベルモニタ制御回路２０２は、戻り光のレベルの変化に対して、光増幅器１５３の利得を連続して可変してもよいし、戻り光のレベルを複数の範囲に分けて、範囲毎に光増幅器１５３の利得を段階的に変えてもよい。
【００２４】
例えば、光レベルモニタ制御回路２０２は、戻り光のレベルから推定した伝送路の距離と励起用ＬＤ１５７の出力を制御する電気信号のレベルとの対応を示す調整テーブル２０２ａを有している。これにより、光レベルモニタ制御回路２０２は、戻り光のレベルからから推定した伝送路の距離に応じて励起用ＬＤ１５７の出力を制御する電気信号のレベルを迅速に求めることができる。尚、調整テーブル２０２ａではなく、戻り光のレベルから推定した伝送路の距離を変数として制御用の電気信号のレベルを求める変換式を用いてもよい。
【００２５】
次に、本実施形態に係る光伝送装置１０１の特徴がわかり易いように、光増幅器１５３の利得を制御しない場合の例について図４を用いて説明する。図４において、光伝送装置９０１は、電気回路ＩＦ（ＩｎｔｅｒＦａｃｅ）９５１と、光電気変換モジュール９５２と、光増幅器９５３と、スプリッタ９５４と、受信部９５５と、電気回路ＩＦ（ＩｎｔｅｒＦａｃｅ）９５６とを有する。図４における電気回路ＩＦ９５１、光電気変換モジュール９５２、光増幅器９５３は、図２における電気回路ＩＦ１５１、光電気変換モジュール１５２、光増幅器１５３にそれぞれ対応する。同様に、図４におけるスプリッタ９５４、受信部９５５、電気回路ＩＦ９５６は、図２におけるスプリッタ１５４、受信部１５５、電気回路ＩＦ１５６にそれぞれ対応する。ここで、図２のブロックと機能や動作が異なるのは光増幅器９５３で、励起用レーザ９５７の出力は固定されている。そして、光増幅器９５３は、光増幅器１５３と同様に、励起用ＬＤ（Ｌａｚｅｒ  Ｄｉｏｄｅ）９５７の出力光を光ファイバ９５８に注入することにより光電気変換モジュール１５２が出力する光信号を増幅する光ファイバ増幅器である。
【００２６】
ここで、光伝送装置９０１は、励起用レーザ９５７の出力が固定されているので光増幅器９５３の利得も固定される。このため、例えば図５（ａ）に示すように、光伝送装置９０１から光伝送装置９０２までの光伝送路９０３が長距離の場合を想定して、光伝送装置９０１の光増幅器９５３の利得が設定されている場合、次のような問題が生じる。図５（ａ）の光伝送装置９０１を図５（ｂ）に示すような短距離の光伝送路９０３に用いた場合、光増幅器９５３の利得が長距離用に高く設定されているため、光伝送装置９０２の許容受光レベルをオーバーする。そして、最悪の場合、光伝送装置９０２の受光回路が故障するという問題が生じる。このような場合、図５（ｃ）に示すように、光伝送装置９０１の出力に光減衰器９０５を挿入して、光伝送路９０３に出力することが行われている。これにより、光伝送装置９０２の受光レベルを許容受光レベル内に収めることができる。
【００２７】
このように、保守者は、光伝送装置９０１の出力側に光減衰器９０５を配置して光伝送路９０３へ送信する光信号のレベルを手動で調整していた。また、この場合には、図４に示した光増幅器９５３の過剰利得によって光伝送装置９０１で無駄な電力が消費されるという問題もある。
【００２８】
これに対して、図２に示した本実施形態に係る光伝送装置１０１は、戻り光のレベルを光レベルモニタ制御回路２０２でモニタして、光伝送路１０３の概算距離を把握し、光伝送路１０３の概算距離に応じて、自動的に光増幅器１５３の利得を制御することができる。これにより、光伝送装置１０１は、光伝送路１０３の距離に応じて光増幅器１５３の利得を適正な値に制御でき、光減衰器９０５を使用しないので、装置コストを低減できる。このように、図４では、戻り光を積極的に利用する仕組みが無く、戻り光は光伝送装置９０１内でカットされていたが、本実施形態に係る光伝送装置１０１では、戻り光を活用して、光増幅器１５３の利得制御に利用することができる。
【００２９】
次に、図２に示した光増幅器１５３の利得調整の流れについて、図６のフローチャートを用いて説明する。尚、図６のフローチャートは、光伝送装置１０１が設置されて、通信を開始する時に行われる処理である。
【００３０】
（ステップＳ１０１）光伝送装置１０１は、光増幅器１５３から出力される送信光と光伝送路１０３からの入力光をスプリッタ１５４により分離する。
【００３１】
（ステップＳ１０２）光伝送装置１０１は、光伝送路１０３からの入力光に含まれている通信先の光伝送装置１０２から送信される光信号の受信光と、スプリッタ１５４から光伝送路１０３に出力された送信光の戻り光とを波長フィルタ２０１で分離し、戻り光を抽出する。
【００３２】
（ステップＳ１０３）光伝送装置１０１は、波長フィルタ２０１で抽出した戻り光のレベルを測定する。ここで、戻り光のレベルは、光伝送路１０３の伝送距離に比例するので、戻り光のレベルの測定は、伝送距離の算出と等価である。
【００３３】
（ステップＳ１０４）光伝送装置１０１は、戻り光のレベルから推定した伝送距離に応じて、励起用ＬＤ１５７の出力光の強度を調整する。例えば、戻り光のレベルが高い場合は伝送距離が長いと推定し、戻り光のレベルが低い場合は伝送距離が短いと推定する。そして、光増幅器１５３から出力される送信光の出力レベルが、戻り光から推定した伝送距離に適した出力レベルになるように、励起用ＬＤ１５７の出力光の強度を調整する。
【００３４】
ここで、励起用ＬＤ１５７の出力光の強度を大きくすると戻り光のレベルが高くなるが、先に戻り光の性質を説明したように、光伝送装置１０１は、戻り光のレベルを測定して、光伝送路１０３の距離を推定できる。例えば、光伝送装置１０１から光伝送路１０３への送信光の出力レベル毎に、戻り光のレベルと光伝送路１０３の距離との関係を計算または実測しておくことにより、送信光の出力レベルと戻り光のレベルから光伝送路１０３の距離がわかる。
【００３５】
このようにして、本実施形態に係る光伝送装置１０１は、光伝送路１０３の距離に応じて、自動的に光増幅器１５３の利得を制御することができる。
（第２の実施形態）
次に、第２の実施形態に係る光伝送装置１０１ａについて、図７を用いて説明する。尚、図７に示した光伝送装置１０１ａは、図１の光伝送装置１０１および光伝送装置１０２に置き換えることができる。
【００３６】
図７において、光伝送装置１０１ａは、電気回路ＩＦ１５１と、光電気変換モジュール１５２と、光増幅器１５３と、スプリッタ１５４と、受信部１５５と、電気回路ＩＦ１５６と、光レベルモニタ制御回路２０２と、を有する。尚、図２の光伝送装置１０１と同符号のブロックは同様のものを示す。光伝送装置１０１ａが光伝送装置１０１と異なる点は、波長フィルタ２０１を有さず、スプリッタ１５４の波長フィルタ２０１への出力光を直接、光レベルモニタ制御回路２０２に入力していることである。
【００３７】
第１の実施形態では、光伝送装置１０１および光伝送装置１０２は、一芯の光ファイバで送信信号と受信信号とを多重して伝送していた。このため、光伝送装置１０１が光伝送路１０３から入力する入力光は、光伝送装置１０２から送信される光信号と、光伝送装置１０１から送信される光信号の戻り光との両方が含まれている。そこで、第１の実施形態に係る光伝送装置１０１では、スプリッタ１５４と光レベルモニタ制御回路２０２との間に波長フィルタ２０１を設けて、光伝送装置１０２から送信される光信号と、光伝送装置１０１から送信される光信号の戻り光とを分離していた。
【００３８】
これに対して、図７に示した光伝送装置１０１ａは、送信用の光ファイバと受信用の光ファイバとを独立して接続する。この場合は、スプリッタ１５４が分離して光レベルモニタ制御回路２０２に出力する光信号には、通信先の送信信号が含まれていないので、図２の波長フィルタ２０１を用いずに、戻り光を抽出できる。つまり、光レベルモニタ制御回路２０２は、スプリッタ１５４の出力を直接入力して、戻り光のレベルを計測できる。尚、スプリッタ１５４は、光の入出力方向によって光を分岐するので、光伝送装置１０１のスプリッタ１５４と光伝送装置１０１ａのスプリッタ１５４は同じものでよい。また、光レベルモニタ制御回路２０２の動作は、図６の場合と同様であり、光レベルモニタ制御回路２０２は、戻り光のレベルを計測した後、戻り光のレベルから推定した伝送路の距離に応じて光増幅器１５３の励起用ＬＤ１５７の出力を調整する。
【００３９】
このようにして、本実施形態に係る光伝送装置１０１は、光伝送路１０３が一芯または二芯の光ファイバであっても、通信先の光伝送装置１０２に送信する光信号の戻り光のレベルをモニタできる。そして、光伝送装置１０１は、戻り光のレベルから推定した伝送路の距離に応じて光増幅器１５３の利得を自動的に調整できる。このように、本実施形態に係る光伝送装置１０１は、非線形効果が生じる程度の高出力の光信号を送信するインターフェースを有する光伝送装置であれば適用可能であり、同様の効果が得られる。
【００４０】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。従って、発明性を有する実施形態の範囲を前述したものに限定する意図はなく、実施形態に開示された範囲に含まれる適当な改良物および均等物に拠ることも可能である。 
【符号の説明】
【００４１】
１０１，１０２・・・光伝送装置；１０３・・・光伝送路；１１０，１１１・・・伝送装置；１５１，１５６・・・電気回路ＩＦ；１５２・・・光電気変換モジュール；１５３・・・光増幅器；１５４・・・スプリッタ；１５５・・・受信部；１５７・・・励起用ＬＤ；１５８・・・光ファイバ；２０１・・・波長フィルタ；２０２・・・光レベルモニタ制御回路
【図１】
2014116882.tif 000003
【図２】
2014116882.tif 000004
【図３】
2014116882.tif 000005
【図４】
2014116882.tif 000006
【図５】
2014116882.tif 000007
【図６】
2014116882.tif 000008
【図７】
2014116882.tif 000009